【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
輸送コンテナに固定されたモニタリングユニットと、
前記輸送コンテナへのアクセス事象を検出し、当該アクセス事象に対応するデータを前記モニタリングユニットに通知するように構成された、前記モニタリングユニットと通信することができる少なくとも１つのセンサと、
前記モニタリングユニットと通信するように構成されたインターフェースユニットと、
前記モニタリングユニットと通信するように構成され、前記モニタリングユニットが前記輸送コンテナへのアクセスをモニタし始めるように活性化コードを使用して当該モニタリングユニットを起動するように前記インターフェースユニットによって構成される、少なくとも１つの活性化キーと、
前記モニタリングユニットと通信するように構成され、非活性化コードを使用して当該モニタリングユニットの動作を停止するように前記インターフェースユニットによって構成される、少なくとも１つの非活性化キーと
を備え、
前記モニタリングユニットが前記アクセス事象に対応するデータを前記インターフェースユニットに通知するように構成される、輸送コンテナへのアクセスをモニタするためのシステム。
【請求項２】
前記モニタリングユニットが、
前記少なくとも１つのセンサ、前記活性化キー及び前記非活性化キーと通信するように構成されたコントローラと、
前記コントローラと共に動作可能な電源と、
前記コントローラと通信することができ、前記アクセス事象に対応するデータを記憶するように構成されたデータ容器と、
前記コントローラと通信することができ、前記アクセス事象に対応するデータを前記インターフェースユニットに通知するように構成された送信機と、
前記コントローラと通信することができ、前記インターフェースユニットからの通信を受信するように構成された受信機と
を備える請求項１に記載のシステム。
【請求項３】
前記インターフェースユニットが、活性化コード及び輸送コンテナの内容に対応するデータを前記活性化キーに通知するように構成され、前記活性化キーが、前記活性化コード及び前記輸送コンテナの内容に対応するデータを前記モニタリングユニットに通知するように構成される請求項１に記載のシステム。
【請求項４】
前記活性化コードが、前記活性化キーと通信する前記インターフェースユニットのオペレータに対応するデータを含む請求項３に記載のシステム。
【請求項５】
前記インターフェースユニットが前記非活性化キーに非活性化コードを通知するように構成され、前記非活性化キーが前記非活性化コードを前記モニタリングユニットに通知するように構成される請求項１に記載のシステム。
【請求項６】
前記非活性化コードが、前記非活性化キーと通信する前記インターフェースユニットのオペレータに対応するデータを含む請求項５に記載のシステム。
【請求項７】
前記モニタリングユニットが、前記輸送コンテナの内容に対応するデータ及び前記アクセス事象に対応するデータを前記非活性化キーに通知するように構成される請求項５に記載のシステム。
【請求項８】
前記非活性化キーが、前記輸送コンテナの内容に対応するデータ及び前記アクセス事象に対応するデータを前記インターフェースユニットに通知するように構成される請求項７に記載のシステム。
【請求項９】
前記モニタリングユニットが、前記活性化キーと通信する前記インターフェースユニットのオペレータに対応するデータ及び前記非活性化キーと通信する前記インターフェースユニットのオペレータに対応するデータを、前記非活性化キーに通知するように構成され、前記非活性化キーが前記輸送コンテナの内容に対応するデータ、前記アクセス事象に対応するデータ、前記活性化キーと通信する前記インターフェースユニットのオペレータに対応するデータ、及び前記非活性化キーと通信する前記インターフェースユニットのオペレータに対応するデータを、前記インターフェースユニットに通知するように構成される請求項７に記載のシステム。
【請求項１０】
前記モニタリングユニットが前記アクセス事象に対応するデータを前記インターフェースユニットに無線通信を通して通知するように構成される請求項１に記載のシステム。
【請求項１１】
前記モニタリングユニットが前記アクセス事象に対応するデータを前記インターフェースユニットに低軌道衛星通信を通して通知するように構成される請求項１に記載のシステム。
【請求項１２】
前記インターフェースユニットが、少なくとも１つのプログラミングユニット及び第２のコントローラを備え、前記少なくとも１つのプログラミングユニットが前記第２のコントローラと通信するように構成される請求項１に記載のシステム。
【請求項１３】
前記少なくとも１つのセンサが、赤外線運動センサ、光センサ、温度センサ、音響センサ、振動センサ、磁気スイッチ、及び放射線センサからなるグループから選択されるセンサを含む請求項１に記載のシステム。
【請求項１４】
輸送コンテナに固定されたモニタリングユニットと、
前記輸送コンテナへのアクセス事象を検出し、前記事象に対応するデータを前記モニタリングユニットに通知するように構成された、前記モニタリングユニットと通信することができる少なくとも１つのセンサと、
前記モニタリングユニットと通信するように構成され、活性化キー又は非活性化キーとして構成されることができる少なくとも１つのデータキーであって、ここで、前記モニタリングユニットが前記輸送コンテナへのアクセスをモニタし始めるように前記活性化キーが活性化コードを使用して当該モニタリングユニットを起動するように構成され、前記非活性化キーが非活性化コードを使用して前記モニタリングユニットの動作を停止するように構成される、少なくとも１つのデータキーと
を備える、輸送コンテナへのアクセスをモニタするためのシステムであって、
前記モニタリングユニットが、前記アクセス事象に対応するデータを前記非活性化キーに通知するように構成される、輸送コンテナへのアクセスをモニタするためのシステム。
【請求項１５】
前記モニタリングユニットが、
前記少なくとも１つのセンサ、前記活性化キー及び前記非活性化キーと通信するように構成されたコントローラと、
前記コントローラと共に動作可能な電源と、
前記コントローラと通信することができ、前記アクセス事象に対応するデータを記憶するように構成されたデータ容器と
を備える請求項１４に記載のシステム。
【請求項１６】
前記活性化キーが活性化コード及び輸送コンテナの内容に対応するデータを記憶するデータ容器を備え、前記活性化キーが前記活性化コード及び前記輸送コンテナの内容に対応するデータを前記モニタリングユニットに通知するように構成される請求項１４に記載のシステム。
【請求項１７】
前記非活性化キーが、非活性化コードを記憶するデータ容器を備える請求項１４に記載のシステム。
【請求項１８】
前記モニタリングユニットが前記輸送コンテナの内容に対応するデータを前記非活性化キーに通知するように構成される請求項１４に記載のシステム。
【請求項１９】
前記少なくとも１つのセンサが、赤外線運動センサ、光センサ、温度センサ、音響センサ、振動センサ、磁気スイッチ、及び放射線センサからなるグループから選択されるセンサを含む請求項１４に記載のシステム。
【請求項２０】
輸送コンテナへのアクセスをモニタするためのコンピュータプログラム製品が、媒体の中に記憶されたコンピュータが読取り可能なプログラムコード部分を有するコンピュータが読取り可能な記憶媒体を含み、前記コンピュータが読取り可能なプログラム部分が、輸送コンテナへのアクセス事象を検出するように構成された少なくとも１つのセンサを起動し、前記アクセス事象に対応するデータを前記少なくとも１つのセンサから受信し、非活性化キーから非活性化コードを識別し、前記アクセス事象に対応するデータを前記非活性化キーに通知する、活性化キーから活性化コードを識別するための実行可能部分を備えることを特徴とするコンピュータプログラム製品。
【請求項２１】
前記実行可能部分が前記アクセス事象に対応するデータをデータ容器の中に記憶する請求項２０に記載のコンピュータプログラム製品。
【請求項２２】
前記実行可能部分が活性化コード及び輸送コンテナの内容に対応するデータを活性化キーから受信する請求項２０に記載のコンピュータプログラム製品。
【請求項２３】
前記アクセス事象に対応するデータをインターフェースユニットに通知する請求項２０に記載のコンピュータプログラム製品。
【請求項２４】
前記実行可能部分が非活性化コードを前記非活性化キーから受信する請求項２３に記載のコンピュータプログラム製品。
【請求項２５】
前記実行可能部分が前記非活性化キーに輸送コンテナの内容に対応するデータを通知する請求項２４に記載のコンピュータプログラム製品。
【請求項２６】
輸送コンテナへのアクセスをモニタするためのモニタリングユニットを起動及び動作停止させるコンピュータプログラム製品が、媒体の中に記憶された、コンピュータが読取り可能なプログラムコード部分を有するコンピュータが読取り可能な記憶媒体を含み、前記コンピュータが読取り可能なプログラム部分が、活性化コード及び輸送コンテナの内容に対応するデータを活性化キーに通知し、アクセス事象に対応するデータを前記モニタリングユニットから受信し、非活性化コードを非活性化キーに通知する実行可能部分を備えることを特徴とするコンピュータプログラム製品。
【請求項２７】
前記実行可能部分が前記輸送コンテナの内容に対応するデータ及び前記アクセス事象に対応するデータを受信する請求項２６に記載のコンピュータプログラム製品。
【請求項２８】
活性化キーから活性化コードを識別するステップと、
輸送コンテナへのアクセス事象を検出するように構成された少なくとも１つのセンサを起動するステップと、
前記アクセス事象に対応するデータを前記少なくとも１つのセンサから受信するステップと、
非活性化キーから非活性化コードを識別するステップと、
前記アクセス事象に対応するデータを前記非活性化キーに通知するステップと
を含む輸送コンテナへのアクセスをモニタする方法。
【請求項２９】
前記アクセス事象に対応するデータをデータ容器の中に記憶するステップをさらに含む請求項２８に記載の方法。
【請求項３０】
活性化コード及び輸送コンテナの内容に対応するデータを活性化キーから受信するステップをさらに含む請求項２８に記載の方法。
【請求項３１】
前記アクセス事象に対応するデータを前記インターフェースユニットに通知するステップを含む請求項２８に記載の方法。
【請求項３２】
前記第２の識別するステップが前記非活性化キーから非活性化コードを受信するステップを含む請求項３１に記載の方法。
【請求項３３】
前記非活性化キーに前記輸送コンテナの内容に対応するデータを通知するステップをさらに含む請求項３２に記載の方法。
【請求項３４】
活性化コード及び輸送コンテナの内容に対応するデータを活性化キーに通知するステップと、
アクセス事象に対応するデータを前記モニタリングユニットから受信するステップと、
非活性化コードを非活性化キーに通知するステップと
を含む、輸送コンテナへのアクセスをモニタするためにモニタリングユニットを起動及び動作停止させるための方法。
【請求項３５】
前記第３の通知するステップの後で、輸送コンテナの内容に対応するデータ及び前記アクセス事象に対応するデータを受信するステップを含む請求項３４に記載の方法。